(57)【要約】      （修正有）【課題】第１のメータを、それより面間寸法が短い第２のメータと交換する工事において、ネジ部に長い袋ナットが装着されている時、パッキンを所定量圧縮できる接続構造を提供する。【解決手段】アダプタ１１は貫通孔を有し、その貫通孔は、小径部と大径部を有し、その中間部で肩部により連結される。大径部には第２のメータの流入口或いは流出口に設けられたオネジに螺合するメネジを備え、小径部側の外周に第２のメータのオネジと同じ径のオネジを備える。アダプタをメータに組み付けたときにメータの流入口或いは流出口の端部が前記肩部に当接し、肩部とアダプタの一端側端部との間の距離が、第１のメータと第２のメータとの面間寸法の差に等しくなる。非圧縮性のリング状スペーサ４１をシモク３１のフランジ３３と袋ナット３９のネジ穴底面との間に配置し、パッキン３７を所定量圧縮しても袋ネジの先端がアダプタのオネジ部の根元に達しないようにする。【選択図】図４
0003173762.tif 000002
【実用新案登録請求の範囲】
【請求項１】
設置済みの第１の水道メータを面間寸法が前記第１のメータより短い第２の水道メータに交換する際の、該第２の水道メータを設置済みの配管に接続する接続構造において、前記第２のメータの流入口又は流出口に貫通孔を有する筒状のアダプタを取付け、前記設置済み配管の端部に固着されたシモクの端部に設けられるフランジと、前記シモクに軸方向移動可能に嵌められた袋ナットのメネジが形成された穴の内端面との間に非圧縮性のリング状スペーサを配置し、前記袋ナットを前記アダプタに形成されたオネジに螺合して締付け、前記アダプタの端部と前記シモクの端部との間に配設されたパッキンを圧縮するようになっており、前記アダプタの前記貫通孔は、前記アダプタの軸方向一端側の小径部と、該小径部の内端部において径方向に広がる肩部を介して前記小径部に繋がる他端側の大径部とからなり、前記他端側において前記第２のメータの流入口或いは流出口に設けられたオネジに螺合するメネジを備え、前記一端側の外周に前記第２のメータの前記オネジと同じ径のオネジを備え、前記アダプタを前記第２のメータに組み付けたときに前記第２のメータの流入口或いは流出口の端部が前記肩部に当接し、前記肩部と前記一端側端部との間の距離が、前記第１のメータと第２のメータとの面間寸法の差に等しくなり、前記アダプタのオネジの長さと前記袋ナットのメネジの長さと前記スペーサの厚みは、前記スペーサが存在しない場合に前記袋ナットを前記アダプタのオネジに締付けた場合には該袋ナットの先端が前記アダプタのオネジ部の根元に当たって前記パッキンを所定量圧縮することはできず、前記スペーサが存在することにより前記袋ナットを締めて前記パッキンを所定量圧縮しても、前記袋ナットの先端が前記アダプタのオネジ部の根元に達しないように寸法が定められていることを特長とする、接続構造。
【考案の詳細な説明】
【技術分野】
【０００１】
本願考案は、水道メータと配管との接続構造に関する。さらに詳細に言えば、水道メータを交換するに当たり、新たに設置するメータの面間寸法が既設のメータの面間寸法より短い場合に、その新規に設置するメータに取付けて使用するアダプタとともに使用するスペーサに関する。
【背景技術】
【０００２】
現在法律の規定により水道メータは８年毎に交換することになっている。ところで現在使用されている呼び径１３のメータは、水道の流入口端部と流出口端部との間の寸法、所謂面間寸法が１６５mmと１００mmのものが一般的である。しかし、水道事業体によっては例外的に例えば面間寸法が１１４mmのメータが使用されてきた。しかし前述のように面間寸法１６５mm、１００mmのものが一般的であるので、そちらの方が面間寸法１１４mmのメータより入手が容易である。そこでメータ交換の際に、それまで使用されていた面間寸法１１４mmのメータに代えて面間寸法１００mmのメータを使用できれば好都合である。
【０００３】
しかし、メータの両側に接続される止水栓、逆止弁などを含めた配管は当然に面間寸法１１４mmのメータに合わせて寸法を定めて設置されており、例えば面間寸法１００mmのメータを以って交換しようとすると、そのままでは配管の長さが足りず、配管工事をやり直す必要がある。しかしメータの上、下流側の配管は通常地中に埋設してあり、新たに配管工事をし直すには多大な手間と費用が掛かる。
【０００４】
ところで、面間寸法１６５mmの既設のメータを６５mmの補足管を用いて面間寸法１００mmのメータに交換することがある。この場合は、補足管の長さが十分にあるので、補足管に配管と接続するためのネジを形成することが可能である。しかし、面間寸法１１４mmのメータを１００mmの面間寸法のメータに交換するのに１４mmの長さの補足管を使用しようとしても、長さが十分でないので配管と強固、確実な接続を確保できるだけの長さを備えたネジを形成することができない。
【０００５】
そこで本出願人はこの問題を解決すべく、実用新案登録第３１６５６５８号において、設置済みの第１の水道メータを面間寸法が第１のメータより短い第２の水道メータに交換する際に第２のメータに取付けて使用するアダプタを提供した。以下、そのアダプタについて図１，２を参照して説明する。図１は水道メータにアダプタを取付けた状態の一部切欠正面図であり、図２はシールリングを取付けた状態でのアダプタの縦断面図である。
【０００６】
図１に示すように、メータ１の流入口３にアダプタ１１を取付けてある。メータ１は交換後のメータであり、流入口３側端部と流出口５側端部との間の寸法、面間寸法Ｌ１は交換前に設置されていたメータ（図示せず）の面間寸法Ｌ２より短くなっている。すなわち、交換前に設置されていたメータは、面間寸法が例えば１１４mmのあまり一般的でないメータであり、交換後のメータ１は面間寸法が１００mmの一般的なもので、入手し易いものである。メータ１の上流側（図１において左側）には図示しない止水栓などを含んだ上流側配管が施されており、下流側には例えば逆止弁などを含んだ下流側配管が施されている。
【０００７】
アダプタ１１は貫通孔１３を備え、その貫通孔１３は、アダプタ１１の軸方向一端側、すなわちメータ１に取付けたときに上流側となる小径部１５と、他端側、すなわち下流側となる、小径部１５より径の大きい大径部１７とからなる。小径部１５と大径部１７との境界部は径方向に広がる肩部１９となっている。アダプタ１１の外径も一端側が他端側より小さくなっている。
【０００８】
アダプタ１１の軸方向一端側の外周にはメータ１の流入口３或いは流出口５のオネジと同じ径のオネジ２１が形成されている。一方、他端側の貫通孔１３の大径部１７には、メータ１の流入口３の外周に形成されたオネジ４に螺合するメネジ１８が形成されている。貫通孔１３内の肩部１９には、貫通孔１３の小径部１５を囲むように円周方向に伸びる溝２３が形成され、Ｏリングで構成されるシールリング２５が収受されている。溝２３は図示のとおり外周壁側が傾き、溝２３の入口側が狭くなり、所謂アリミゾの形に形成され、Ｏリングは外れにくくなっている。
【０００９】
アダプタ１１の肩部１９から一端側の端部までの長さは、図１に示すように、交換前に設置されていたメータの面間寸法Ｌ２と交換後のメータ１の面間寸法Ｌ１との差に等しくなっている。従って、シールリング２５を取付けた状態で図１に示すようにアダプタ１１のメネジ１８をメータ１の流入口３のオネジ４に螺合させ、メータ１の流入口３の端部がアダプタ１１の貫通孔１３内の肩部１９に当接するまで締め付けると、メータ１の流出口５側端部からアダプタ１１の一端側の端部までの長さは交換前のメータの面間寸法と一致することとなる。従って、このように面間寸法の長いメータを面間寸法が短いメータに交換しても、改めてメータの両側の配管にはなんら手を加える必要がなく、追加の配管工事などを行う必要がなく、簡単にメータの交換作業を行える。
【００１０】
ところで、近年水道用配管に塩ビ管が使用され、その配管の端部にいわゆるシモクが取付けられ、そのシモクを袋ナットを用いてメータの流入口或いは流出口に取り付けるようになっているが、上記のアダプタを使用した場合、当然にそのアダプタをこのシモクに接続することになる。この場合、使用されている袋ナットによってはそのネジ部が長く、図３に示すようにアダプタ１１の端部とシモク３１の端部との間に配置されたパッキン３７を圧縮する状態になる前、或いは十分に圧縮する状態になる前にナット３９の先端がアダプタ１１のオネジ部２１の内端部に当たってしまい、パッキン３７を十分に圧縮することができない場合がある。シモク３１は塩ビ製の配管に接着されており、シモク３１の先端は袋ナット３９が抜けないように外径を拡大されてフランジ３３となっている。すなわち袋ナット３９もシモク３１も取外すことはできない。袋ナット３９の交換を行おうとすると、配管の再工事を行う必要がある。また、前述のとおり、アダプタ１１の長さは二つのメータの面間寸法の差分だけの長さであり、小径部外周のオネジ部２１の長さを十分長くすることもできない。
【００１１】
また、パッキンを２枚重ねて使用する対策方法も考えられるが、この場合にはパッキンを圧縮しすぎる場合があり、経年変化によりパッキンが劣化し、それによりシール不能となってしまう場合も起こりうる。
【先行技術文献】
【特許文献】
【００１２】
【特許文献１】実用新案登録第３１６５６５８号公報
【考案の概要】
【考案が解決しようとする課題】
【００１３】
本願考案は上記従来の問題点に鑑みなされたものであり、設置済みの配管に取付けられている袋ナットのメネジ部が長過ぎて、そのまま袋ナットを締めたのではナット先端がアダプタのオネジ部の内端部に当たってしまってパッキンを十分に圧縮できない場合に、そのアダプタのオネジ部と袋ナットのメネジ部との噛合い長さを短くして、パッキンを十分に圧縮できる接続構造を提供することをその課題とする。
【課題を解決するための手段】
【００１４】
上記課題を解決するために本願考案においては、シモクの端部に設けられるフランジと、シモクに嵌められた袋ナットのメネジが形成された穴の内端面との間に非圧縮性のリング状スペーサを配置した。すなわち、本願考案は、設置済みの第１の水道メータを面間寸法がこの第１のメータより短い第２の水道メータに交換する際の、該第２の水道メータを設置済みの配管に接続する接続構造において、第２のメータの流入口又は流出口に貫通孔を有する筒状のアダプタを取付け、設置済み配管の端部に固着されたシモクの端部に設けられるフランジと、シモクに軸方向移動可能に嵌められた袋ナットのメネジが形成された穴の内端面との間に非圧縮性のリング状スペーサを配置し、袋ナットをアダプタに形成されたオネジに螺合して締付け、アダプタの端部と前記シモクの端部との間に配設されたパッキンを圧縮するようになっており、そのアダプタの貫通孔は、アダプタの軸方向一端側の小径部と、該小径部の内端部において径方向に広がる肩部を介して前記小径部に繋がる他端側の大径部とからなり、この他端側には第２のメータの流入口或いは流出口に設けられたオネジに螺合するメネジを備え、一端側の外周には第２のメータのオネジと同じ径のオネジを備え、アダプタを第２のメータに組み付けたときに第２のメータの流入口或いは流出口の端部が肩部に当接し、この肩部と一端側端部との間の距離が、第１のメータと第２のメータとの面間寸法の差に等しくなる。そして、アダプタのオネジの長さと袋ナットのメネジの長さとスペーサの厚みは、スペーサが存在しない場合に袋ナットをアダプタのオネジに締付けた場合には該袋ナットの先端がアダプタのオネジ部の根元に当たってパッキンを所定量圧縮することはできず、スペーサが存在することにより袋ナットを締めてパッキンを所定量圧縮しても袋ナットの先端がアダプタのオネジ部の根元に達しないように寸法が定められている。
【考案の効果】
【００１５】
上記のとおり、設置済み配管の端部に固着されたシモクの端部に設けられるフランジと、シモクに軸方向移動可能に嵌められた袋ナットのメネジが形成された穴の内端面との間に非圧縮性のリング状スペーサを配置することにより、袋ナットを締付けてパッキンを所定量圧縮しても、袋ナットの先端がアダプタのオネジ部の根元に達しないようにして、パッキンのシール機能を確保することができる。
【図面の簡単な説明】
【００１６】
【図１】アダプタを取り付けた状態の水道メータの一部切欠側面図である。
【図２】シールリングを取付けた状態のアダプタの縦断面図である。
【図３】袋ナットのメネジ部が長すぎる場合の状態を示す縦断面図である。
【図４】スペーサを使用してパッキンを圧縮した状態を示す縦断面図である。
【図５】スペーサの正面図と側面断面図である。
【考案を実施するための最良の形態】
【００１７】
以下図４を参照して本願考案の接続構造を説明する。メータとアダプタとは図１，２に示したものと同じであり、その結合する構造も同じであるので、図にはアダプタ１１と、シモク３１と、袋ナット３９と、パッキン３７と、スペーサ４１のみを図示している。アダプタ１１、シモク３１、袋ナット３９、パッキン３７とは図３に示したものと同じものが使用されている。
【００１８】
図に示すように、この実施の形態ではスペーサ４１が使用されている。スペーサ４１は弾性を有するが非圧縮性の材料で作成され、図５に示されるように一部がカットされている。このスペーサを図示のようにシモク３１に嵌めて、袋ナット３９を締付けた場合にシモク３１のフランジ３３と袋ナット３９の内側底面との間に挟みこみ、それにより袋ナット３９のメネジ部とアダプタ１１のオネジ部との噛合い長さを調節し、パッキン３７を十分に圧縮した場合でも、袋ナット３９のメネジ部先端がアダプタ１１のオネジ部の内端部に当たることが無いようにしている。
【図１】
0003173762.tif 000003
【図２】
0003173762.tif 000004
【図３】
0003173762.tif 000005
【図４】
0003173762.tif 000006
【図５】
0003173762.tif 000007